(57)【特許請求の範囲】
【請求項１】
栓内原水経路および栓内浄水経路を有する浄水用水栓と、内部を通過する水を浄化する浄水器と、前記栓内原水経路の出口および前記浄水器の入口間を連結する原水往き管と、前記浄水器の出口および前記栓内浄水経路の入口間を連結する浄水戻り管と、を備え、前記栓内原水経路にその入口から導入された原水が前記栓内原水経路および前記往き管を通って前記浄水器に導かれ、そこで浄化された浄水が前記浄水戻り管および前記栓内浄水経路を通って吐出されるようにした浄水装置であって、
前記浄水用水栓に前記栓内原水経路を開閉する元止め弁が設けられるとともに、
前記浄水用水栓に前記栓内浄水経路を開閉する先止め弁が設けられ、
前記浄水用水栓に前記元止め弁および前記先止め弁を開閉操作するための開閉操作部が設けられ、
前記開閉操作部の開閉操作によって、前記元止め弁および前記先止め弁が共に開かれて前記浄水用水栓から浄水が吐出される吐水状態と、前記元止め弁および前記先止め弁が共に閉じられて前記浄水用水栓から浄水が吐出されない止水状態との間で切り換え可能に構成され、
前記元止め弁および前記先止め弁を構成する弁機構は、固定バルブと、その固定バルブの正面に接触した状態で前記開閉操作部の操作に連動して前記固定バルブに対し回転可能な回転バルブとを備え、
前記栓内原水経路は、その前半部分を構成する原水経路前半と、後半部分を構成する原水経路後半とを備え、前記原水経路前半の出口が前記固定バルブの正面に開口するとともに、前記原水経路後半の入口が前記固定バルブの正面に開口し、
前記栓内浄水経路は、その前半部分を構成する浄水経路前半と、後半部分を構成する浄水経路後半とを備え、前記浄水経路前半の出口が前記固定バルブの正面に開口するとともに、前記浄水経路後半の入口が前記固定バルブの正面に開口し、
前記回転バルブの前記固定バルブとの対向面には、その対向面側に開放された原水経路連通溝および浄水経路連通溝が形成され、
前記吐水状態では、前記原水経路前半の出口および前記原水経路後半の入口が前記原水経路連通溝内にそれぞれ配置されて、前記原水経路前半および前記原水経路後半が前記原水経路連通溝を介して連通し、かつ前記浄水経路前半の出口および前記浄水経路後半の入口が前記浄水経路連通溝内にそれぞれ配置されて、前記浄水経路前半および前記浄水経路後半が前記浄水経路連通溝を介して連通する態様に、前記回転バルブが前記固定バルブに対し回転操作される一方、
前記止水状態では、前記原水経路前半の出口および前記原水経路後半の入口のうち少なくとも一方が前記原水経路連通溝内から逸脱して、前記原水経路前半および前記原水経路後半間が非道通状態となり、かつ前記浄水経路前半の出口および前記浄水経路後半のうち少なくとも一方が前記浄水経路連通溝内から逸脱して、前記浄水経路前半および前記浄水経路後半間が非道通状態となる態様に、前記回転バルブが前記固定バルブに対し回転操作されるようにしたことを特徴とする浄水装置。
【請求項２】
前記吐水状態から前記止水状態に切り換える際、または前記止水状態から前記吐水状態に切り換える際に、前記原水経路前半の出口および前記原水経路後半の入口のうち少なくとも一方が前記原水経路連通溝内から逸脱し、かつ前記浄水経路前半の出口および前記浄水経路後半の入口が前記浄水経路連通溝内にそれぞれ配置される元閉じ先開き状態を経由するようにした請求項１に記載の浄水装置。
【請求項３】
栓内原水経路および栓内浄水経路を有し、前記栓内原水経路にその入口から導入された原水を出口から流出させて浄水器へと送り出すとともに、浄水器によって浄化された浄水を前記栓内浄水経路にその入口から導入させて出口から流出させて吐出するようにした浄水用水栓であって、
前記栓内原水経路を開閉する元止め弁と、
前記栓内浄水経路を開閉する先止め弁と、
前記元止め弁および前記先止め弁を開閉操作するための開閉操作部と、を備え、
前記開閉操作部の開閉操作によって、前記元止め弁および前記先止め弁が共に開かれて浄水が吐出される吐水状態と、前記元止め弁および前記先止め弁が共に閉じられて浄水が吐出されない止水状態との間で切り換え可能に構成され、
前記元止め弁および前記先止め弁を構成する弁機構は、固定バルブと、その固定バルブの正面に接触した状態で前記開閉操作部の操作に連動して前記固定バルブに対し回転可能な回転バルブとを備え、
前記栓内原水経路は、その前半部分を構成する原水経路前半と、後半部分を構成する原水経路後半とを備え、前記原水経路前半の出口が前記固定バルブの正面に開口するとともに、前記原水経路後半の入口が前記固定バルブの正面に開口し、
前記栓内浄水経路は、その前半部分を構成する浄水経路前半と、後半部分を構成する浄水経路後半とを備え、前記浄水経路前半の出口が前記固定バルブの正面に開口するとともに、前記浄水経路後半の入口が前記固定バルブの正面に開口し、
前記回転バルブの前記固定バルブとの対向面には、その対向面側に開放された原水経路連通溝および浄水経路連通溝が形成され、
前記吐水状態では、前記原水経路前半の出口および前記原水経路後半の入口が前記原水経路連通溝内にそれぞれ配置されて、前記原水経路前半および前記原水経路後半が前記原水経路連通溝を介して連通し、かつ前記浄水経路前半の出口および前記浄水経路後半の入口が前記浄水経路連通溝内にそれぞれ配置されて、前記浄水経路前半および前記浄水経路後半が前記浄水経路連通溝を介して連通する態様に、前記回転バルブが前記固定バルブに対し回転操作される一方、
前記止水状態では、前記原水経路前半の出口および前記原水経路後半の入口のうち少なくとも一方が前記原水経路連通溝内から逸脱して、前記原水経路前半および前記原水経路後半間が非道通状態となり、かつ前記浄水経路前半の出口および前記浄水経路後半のうち少なくとも一方が前記浄水経路連通溝内から逸脱して、前記浄水経路前半および前記浄水経路後半間が非道通状態となる態様に、前記回転バルブが前記固定バルブに対し回転操作されるようにしたことを特徴とする浄水用水栓。
【請求項４】
前記吐水状態から前記止水状態に切り換える際、または前記止水状態から前記吐水状態に切り換える際に、前記原水経路前半の出口および前記原水経路後半の入口のうち少なくとも一方が前記原水経路連通溝内から逸脱し、かつ前記浄水経路前半の出口および前記浄水経路後半の入口が前記浄水経路連通溝内にそれぞれ配置される元閉じ先開き状態を経由するようにした請求項３に記載の浄水用水栓。
【発明の詳細な説明】
【技術分野】
【０００１】
この発明は、水道水等の原水を浄水器で浄化して吐出するようにした浄水装置および浄水用水栓に関する。
【背景技術】
【０００２】
一般住宅において、キッチンの流し台には、水を供給する単水栓や、水およびお湯を供給する混合栓等を備えた給水装置が設けられているが、それ以外に浄水機能を備えた浄水装置が設けられるものがある。
【０００３】
ビルトインタイプの浄水装置は、例えばシンクの下側に浄水器が設置されるとともに、シンクに臨むように浄水用水栓が取り付けられている。そして水道水等の原水が浄水器を通って浄化され、その浄水が浄水用水栓から吐出されるようになっている。
【０００４】
このような浄水用水栓においては、例えばレバー操作やハンドル操作によって、吐水／止水を行っているが、この操作によって開閉される開閉弁は、使用時（吐水時）以外に、水道圧が浄水器に加わるのを防止するために、通常、浄水器の上流側に設けられている。
【０００５】
ところが、浄水器の上流側に開閉弁を取り付ける場合、例えば止水状態が長く続くと、空気中の一般細菌や放線菌等の雑菌が吐水ノズルから浄水器内に侵入して増殖し、雑菌の侵入による悪影響、例えば水質を悪化させる等の不具合が発生する。
【０００６】
そこで、下記特許文献１に示す浄水装置が提案されている。この浄水装置は、浄水器の入口部および出口部にそれぞれ設けられた電磁弁と、浄水用水栓に設けられた開閉スイッチと、開閉スイッチの押操作に応答して、電磁弁を開閉駆動する制御盤とを備え、開閉スイッチを押操作することによって、吐水／止水を行うようにしている。
【０００７】
この浄水装置において、止水状態では、電磁弁によって浄水器の上流側が閉じられているため、水道水の水圧が浄水器内に加わることがなく、水道圧の悪影響を回避することができる。さらに止水状態では、電磁弁によって浄水器の下流側も閉じられているため、吐水ノズルから雑菌等が浄水器内に侵入するのを防止することができる。
【先行技術文献】
【特許文献】
【０００８】
【特許文献１】特開２００２−１５９９６７号公報
【発明の概要】
【発明が解決しようとする課題】
【０００９】
しかしながら、上記特許文献１に示す従来の浄水装置においては、構造が複雑な電磁弁や、電磁弁を制御する制御盤の他、これらと開閉スイッチとを電気接続する信号線、電磁弁や制御盤に電力を供給する電源コード等、多くの複雑な部材を設置する必要があり、構造の複雑化および装置の大型化を来すおそれがある。
【００１０】
この発明は、上記の課題に鑑みてなされたものであり、浄水器に水道水等の水圧が加わることによる悪影響および浄水器への雑菌侵入による悪影響等を回避しつつ、構造の簡素化および小型化を図ることができる浄水装置および浄水用水栓を提供することを目的とする。
【課題を解決するための手段】
【００１１】
上記課題を解決するため、本発明は、以下の手段を備えるものである。
【００１２】
［１］栓内原水経路および栓内浄水経路を有する浄水用水栓と、内部を通過する水を浄化する浄水器と、前記栓内原水経路の出口および前記浄水器の入口間を連結する原水往き管と、前記浄水器の出口および前記栓内浄水経路の入口間を連結する浄水戻り管と、を備え、前記栓内原水経路にその入口から導入された原水が前記栓内原水経路および前記往き管を通って前記浄水器に導かれ、そこで浄化された浄水が前記浄水戻り管および前記栓内浄水経路を通って吐出されるようにした浄水装置であって、
前記浄水用水栓に前記栓内原水経路を開閉する元止め弁が設けられるとともに、
前記浄水用水栓に前記栓内浄水経路を開閉する先止め弁が設けられ、
前記浄水用水栓に前記元止め弁および前記先止め弁を開閉操作するための開閉操作部が設けられ、
前記開閉操作部の開閉操作によって、前記元止め弁および前記先止め弁が共に開かれて前記浄水用水栓から浄水が吐出される吐水状態と、前記元止め弁および前記先止め弁が共に閉じられて前記浄水用水栓から浄水が吐出されない止水状態との間で切り換え可能に構成されたことを特徴とする浄水装置。
【００１３】
［２］前記吐水状態から前記止水状態に切り換える際に、前記元止め弁が閉じられた後、前記先止め弁が閉じられるようにした前項１に記載の浄水装置。
【００１４】
［３］前記止水状態から前記吐水状態に切り換える際に、前記先止め弁が開かれた後、前記元止め弁が開かれるようにした前項１または２に記載の浄水装置。
【００１５】
［４］前記元止め弁および前記先止め弁を構成する弁機構は、固定バルブと、その固定バルブの正面に接触した状態で前記開閉操作部の操作に連動して前記固定バルブに対し回転可能な回転バルブとを備え、
前記栓内原水経路は、その前半部分を構成する原水経路前半と、後半部分を構成する原水経路後半とを備え、前記原水経路前半の出口が前記固定バルブの正面に開口するとともに、前記原水経路後半の入口が前記固定バルブの正面に開口し、
前記栓内浄水経路は、その前半部分を構成する浄水経路前半と、後半部分を構成する浄水経路後半とを備え、前記浄水経路前半の出口が前記固定バルブの正面に開口するとともに、前記浄水経路後半の入口が前記固定バルブの正面に開口し、
前記回転バルブの前記固定バルブとの対向面には、その対向面側に開放された原水経路連通溝および浄水経路連通溝が形成され、
前記吐水状態では、前記原水経路前半の出口および前記原水経路後半の入口が前記原水経路連通溝内にそれぞれ配置されて、前記原水経路前半および前記原水経路後半が前記原水経路連通溝を介して連通し、かつ前記浄水経路前半の出口および前記浄水経路後半の入口が前記浄水経路連通溝内にそれぞれ配置されて、前記浄水経路前半および前記浄水経路後半が前記浄水経路連通溝を介して連通する態様に、前記回転バルブが前記固定バルブに対し回転操作される一方、
前記止水状態では、前記原水経路前半の出口および前記原水経路後半の入口のうち少なくとも一方が前記原水経路連通溝内から逸脱して、前記原水経路前半および前記原水経路後半間が非道通状態となり、かつ前記浄水経路前半の出口および前記浄水経路後半のうち少なくとも一方が前記浄水経路連通溝内から逸脱して、前記浄水経路前半および前記浄水経路後半間が非道通状態となる態様に、前記回転バルブが前記固定バルブに対し回転操作されるようにした前項１〜３のいずれか１項に記載の浄水装置。
【００１６】
［５］前記吐水状態から前記止水状態に切り換える際、または前記止水状態から前記吐水状態に切り換える際に、前記原水経路前半の出口および前記原水経路後半の入口のうち少なくとも一方が前記原水経路連通溝内から逸脱し、かつ前記浄水経路前半の出口および前記浄水経路後半の入口が前記浄水経路連通溝内にそれぞれ配置される元閉じ先開き状態を経由するようにした前項４に記載の浄水装置。
【００１７】
［６］栓内原水経路および栓内浄水経路を有し、前記栓内原水経路にその入口から導入された原水を出口から流出させて浄水器へと送り出すとともに、浄水器によって浄化された浄水を前記栓内浄水経路にその入口から導入させて出口から流出させて吐出するようにした浄水用水栓であって、
前記栓内原水経路を開閉する元止め弁と、
前記栓内浄水経路を開閉する先止め弁と、
前記元止め弁および前記先止め弁を開閉操作するための開閉操作部と、を備え、
前記開閉操作部の開閉操作によって、前記元止め弁および前記先止め弁が共に開かれて浄水が吐出される吐水状態と、前記元止め弁および前記先止め弁が共に閉じられて浄水が吐出されない止水状態との間で切り換え可能に構成されたことを特徴とする浄水用水栓。
【発明の効果】
【００１８】
発明［１］の浄水装置によれば、浄水器の上流側および下流側に元止め弁および先止め弁を設け、止水時には、浄水器の上流側および下流側が閉じられるため、浄水器に水道圧が加わるのを防止できるとともに、浄水器に雑菌が侵入するのを防止することができる。さらに浄水用水栓に元止め弁および先止め弁を設けるものであるため、電磁弁等を浄水器周辺に設ける場合と比較して、設置部品数を削減できて、構造の簡素化および小型化を図ることができる。
【００１９】
発明［２］の浄水装置によれば、止水する際に、浄水器の上流側が閉じられて、浄水器内の水圧が低減してから、下流側が閉じられるため、原水の水圧が浄水器に加わることがなく、その水圧による悪影響を回避することができる。
【００２０】
発明［３］の浄水装置によれば、吐水する際に、浄水器の下流側が開いてから、上流側が開くため、上流側が開放された直後に浄水器内に原水の水圧が加わることがなく、その水圧による悪影響を回避することができる。
【００２１】
発明［４］［５］の浄水装置によれば、上記の効果をより確実に得ることができる。
【００２２】
発明［６］の浄水用水栓によれば、上記と同様に、同様の効果を得ることができる。
【図面の簡単な説明】
【００２３】
【図１】図１はこの発明の実施形態である浄水装置が適用された流し台の給水設備を説明するための斜視図である。
【図２】図２は実施形態の給水設備に採用された浄水用水栓をその一部を切り欠いて示す側面図である。
【図３】図３は実施形態の浄水用水栓における内部経路を説明するためのブロック図である。
【図４】図４は実施形態の浄水用水栓における弁機構の固定バルブを示す正面図である。
【図５】図５は実施形態の浄水用水栓における弁機構の回転バルブを示す正面断面図である。
【図６Ａ】図６Ａは実施形態における弁機構の止水状態を説明するための正面断面図である。
【図６Ｂ】図６Ｂは実施形態における弁機構の操作途中状態を説明するための正面断面図である。
【図６Ｃ】図６Ｃは実施形態における弁機構の吐水状態を説明するための正面断面図である。
【発明を実施するための形態】
【００２４】
図１はこの発明の実施形態である浄水装置が適用された流し台の給水設備を説明するための斜視図である。
【００２５】
同図に示すように、本実施形態の給水設備は、ビルトイン型の浄水装置（浄水器）を備えるものであって、流し台のシンク周縁部に配置される浄水用水栓１および混合水栓５と、シンクの下側等に配置される浄水器６と、これらの部材等を配管接続する配管群とを基本的な構成要素として備えている。
【００２６】
さらに混合水栓５には、給水管５１および給湯管５２がそれぞれ連結されるとともに、これらの給水管５１および給湯管５２が給水用水栓５３および給湯用水栓５４にそれぞれ連結されている。給水用水栓５３には、外部の水道管等から原水としての水道水が供給され、その水道水が給水管５１を介して混合水栓５に供給されるようになっている。
【００２７】
また給湯用水栓５４には、外部の給湯機等からお湯が供給され、そのお湯が給湯管５２を介して混合水栓５に供給されるようになっている。
【００２８】
そして混合水栓５のレバー５５を操作することによって、水、お湯、これらの混合水を適宜、ノズル５６から吐出できるようになっている。
【００２９】
給水管５１における給水用水栓５３との接続部には、分岐水栓５７が取り付けられており、後述するように、分岐水栓５７で分岐された水道水が浄水用水栓１に供給されるようになっている。
【００３０】
浄水器６は、縦筒型のカートリッジ式のものであり、内部に水浄化材として中空糸膜フィルター等の濾材が装填されている。
【００３１】
また浄水器６の上端面には、入口６２および出口６３が設けられており、入口６２から導入された水が内部の濾材中を通過することによって濾過されて、浄水となって出口６３から流出されるようになっている。
【００３２】
なお浄水器６の入口６２および出口６３は、いわゆるクイックジョイントによって構成されており、所定の管をワンタッチで着脱できるようになっている。
【００３３】
図１，２に示すように、浄水用水栓１は、ボディ１０と、浄水が吐出されるノズル１４と、吐水および止水操作を行うハンドル１５と、ボディ１０内に組み込まれた弁機構２とを備えている。
【００３４】
さらに浄水用水栓１におけるボディ１０の下端には、原水入口管１１、原水出口管１２および浄水入口管１３がそれぞれ連結されている。
【００３５】
なお後に詳述するが、浄水用水栓１は、原水入口管１１を介してボディ１０内に導入された水が原水出口管１２から流出されるようになっている。さらに浄水入口管１３を介してボディ１０内に導入された水がノズル１４から流出されるようになっている。
【００３６】
ハンドル１５は、ボディ１０に対し軸心回りに回転自在に取り付けられており、そのハンドル１５を回転操作することによって、後述するように、ノズル１４からの吐水および止水が行われるようになっている。
【００３７】
なお、本明細書においては、浄水用水栓１を、ハンドル１５側からハンドル１４の軸心方向に沿って見た場合を正面視として説明する。
【００３８】
弁機構２は、ボディ１０内におけるハンドル１５に対応する位置に組み込まれており、セラミックス製の固定バルブ３と、同じくセラミックス製の回転バルブ４とを備えている。
【００３９】
固定バルブ３および回転バルブ４は、図４，５に示す正面視の状態で略円形に形成されており、その正面視の状態で、固定バルブ３は回転バルブ４に対して大きさが少し大きく形成されている。
【００４０】
固定バルブ３は、その軸心をハンドル１５の軸心に対し一致させた状態で、ボディ１０に対し固定状態に取り付けられている。
【００４１】
回転バルブ４は、その軸心をハンドル１５および固定バルブ３の各軸心に対し一致させるとともに、固定バルブ３上に重ね合わせて配置された状態で、ボディ１０に対し軸心回りに回転自在に、かつハンドル１５に対し固定状態に取り付けられている。
【００４２】
これにより、この回転バルブ４は、ハンドル１５の回転操作に連動して軸心回りに回転するようになっている。つまり本実施形態の弁機構２は、電力で駆動する電磁弁等とは異なり、使用者の操作力で作動する機械的な機構によって構成されている。
【００４３】
図４に示すように、固定バルブ３における中央の下側には、原水経路前半出口３１が形成されるとともに、中心位置には、原水経路後半入口３２がそれぞれ形成されている。さらに固定バルブ３における中央の上部両側には、浄水経路前半出口３３および浄水経路後半入口３４がそれぞれ形成されている。浄水経路前半出口３３および浄水経路後半入口３４は、周方向に並んで配置されており、互いに固定バルブ３の中心からの径方向の距離が等しく形成されている。
【００４４】
図３の破線に示すように、ボディ１０内には、原水経路前半出口３１および原水入口管１１間を連通接続する原水経路前半２１が形成されるとともに、原水経路後半入口３２および原水出口管１２間を連通接続する原水経路後半２２が形成されている。
【００４５】
さらにボディ１０内には、浄水経路前半出口３３および浄水入口管１３間を連通接続する浄水経路前半２３が形成されるとともに、浄水経路後半入口３４およびノズル１４間を連通接続する浄水経路後半２４が形成されている。
【００４６】
図５に示すように、回転バルブ４における固定バルブ３との対向面（裏面）には、その対向面側に開放される溝によって構成される原水経路連通溝４１および浄水経路連通溝４３が設けられている。
【００４７】
図６Ａ〜Ｃに示すように、原水経路連通溝４１は、中心位置から径方向に沿って連続して延びるように形成されており、中心に位置する内端側が、原水経路後半入口３２に臨むように配置されている。
【００４８】
さらに浄水経路連通溝４３は、浄水経路前半出口３３および浄水経路後半入口３４に対応して、周方向に沿って連続して延びるように形成されている。
【００４９】
本実施形態においては、既述したように、回転バルブ４は、固定バルブ３に対し回転自在に取り付けられており、固定バルブ３に対し、回転バルブ４の回転角度が異なる第１〜第３の３つの回転状態が実現できるようになっている。
【００５０】
図６Ａに示すように、第１の回転状態である止水状態では、回転バルブ４の原水経路連通溝４１内に、固定バルブ３の原水経路後半入口３２が配置されるものの、原水経路前半出口３１が配置されない状態となっている。この状態では、原水経路前半出口３１が回転バルブ４によって閉塞されるため、原水経路前半２１と原水経路後半２２とが遮断されて、原水経路前半２１から原水経路後半２２に水が流通できないようになっている。
【００５１】
さらに同図に示す止水状態では、回転バルブ４の浄水経路連通溝４３内に、固定バルブ３の浄水経路前半出口３３が配置されるものの、浄水経路後半入口３４が配置されない状態となっている。この状態では、浄水経路後半入口３４が回転バルブ４によって閉塞されるため、浄水経路前半２３と浄水経路後半２４とが遮断されて、浄水経路前半２３から浄水経路後半２４に水が流通できないようになっている。
【００５２】
また図６Ｂに示すように、第２の回転状態である操作途中状態（元閉じ先開き状態）では、回転バルブ４の原水経路連通溝４１内に、固定バルブ３の原水経路後半入口３２が配置されるものの、原水経路前半出口３１が配置されない状態となっている。この状態では、上記と同様、原水経路前半出口３１が回転バルブ４によって閉塞されるため、原水経路前半２１と原水経路後半２２とが遮断されて、原水経路前半２１から原水経路後半２２に水が流通できないようになっている。
【００５３】
さらに同図に示す操作途中状態では、回転バルブ４の浄水経路連通溝４３内に、固定バルブ３の浄水経路前半出口３３および浄水経路後半入口３４が共に配置された状態となっている。この状態では、浄水経路前半２３と浄水経路後半２４とが浄水経路連通溝４３を介して連通されるため、浄水経路前半２３から浄水経路連通溝４３を介して浄水経路後半２４に水が流通できるようになっている。
【００５４】
また図６Ｃに示すように、第３の回転状態である吐水状態では、回転バルブ４の原水経路連通溝４１内に、固定バルブ３の原水経路後半入口３２および原水経路前半出口３１が共に配置された状態となっている。この状態では、原水経路前半２１と原水経路後半２２とが原水経路連通溝４１を介して連通されるため、原水経路前半２１から原水経路連通溝４１を介して原水経路後半２２に水が流通できるようになっている。
【００５５】
さらに同図に示す吐水状態では、回転バルブ４の浄水経路連通溝４３内に、固定バルブ３の浄水経路前半出口３３および浄水経路後半入口３４が共に配置された状態となっている。この状態では、浄水経路前半２３と浄水経路後半２４とが浄水経路連通溝４３を介して連通されるため、浄水経路前半２３から浄水経路連通溝４３を介して浄水経路後半２４に水が流通できるようになっている。
【００５６】
ここで本実施形態においては、原水経路前半２１および原水経路後半２２によって栓内原水経路が構成されるとともに、浄水経路前半２３および浄水経路後半２４によって栓内浄水経路が構成されている。
【００５７】
さらに原水経路前半２１における原水入口管１１との連結部が、栓内原水経路の入口（原水経路入口）として構成されるとともに、原水経路後半２２における原水出口管１２との連結部が、栓内原水経路の出口（原水経路出口）として構成される。
【００５８】
さらに浄水経路前半２３における浄水入口管１３との連結部が、栓内浄水経路の入口（浄水経路入口）として構成されるとともに、浄水経路後半２４におけるノズル１４との連結部が、栓内浄水経路の出口（浄水経路出口）として構成されている。
【００５９】
また本実施形態においては、固定バルブ３および回転バルブ４等を含む弁機構２が、栓内原水経路を開閉する元止め弁として機能するとともに、栓内浄水経路を開閉する先止め弁として機能する。
【００６０】
図１に示すように、浄水用水栓１の原水入口管１１には、フレキシブルチューブによって構成される分岐給水管７１を介して、上記分岐水栓５７に連結されている。従って、給水用水栓５３から供給される水道水が、給水管５１、分岐水栓５７および分岐給水管７１を介して、原水入口管１１に導入されるようになっている。
【００６１】
さらに原水出口管１２には、フレキシブルチューブによって構成される原水往き管７２を介して、上記浄水器６の入口６２に連結されている。そして後述するように、原水出口管１２から導出される水道水が、原水往き管７２を介して浄水器６に導入されるようになっている。
【００６２】
さらに浄水入口管１３には、フレキシブルチューブによって構成される浄水戻り管７３を介して、浄水器６の出口６３に連結されている。従って、浄水器６から流出される浄水が、浄水戻り管７３を介して、浄水入口管１３に導入されるようになっている。
【００６３】
以上のように構成された給水設備の浄水装置において、図６Ａに示す止水状態では、原水経路前半２１および原水経路後半２２間が非導通状態で、浄水経路前半２３および浄水経路後半２４間も非道通状態となっているため、ノズル１４から浄水が吐出されることはない。
【００６４】
そしてこの止水状態からハンドル１５を回転操作して、図６Ｃに示す吐水状態に切り換えると、既述したように原水経路前半２１および原水経路後半２２間が導通されるとともに、浄水経路前半２３および浄水経路後半２４間が導通されるため、水道水が浄水器６を通って濾過されて、その濾過水（浄水）がノズル１４から吐出される。すなわちこの吐水状態において、給水用水栓５３から給水管５１に供給される水道水は、分岐水栓５７および分岐給水管７１を通って、浄水用水栓１の原水入口管１１に導入される。原水入口管１１に導入された水道水は、原水経路前半２１、原水経路連通溝４１および原水経路後半２２を通って、原水出口管１２から流出される。原水出口管１２から流出された水道水は、原水往き管７２を通って、浄水器６に導入されて濾過される。浄水器６で濾過された浄水は、浄水戻り管７３を通って、浄水入口管１３に導入される。浄水入口管１３に導入された浄水は、浄水経路前半２３、浄水経路連通溝４３および浄水経路後半２４を通って、ノズル１４から吐出される。
【００６５】
さらに図６Ａの止水状態から図６Ｃの吐水状態に切り換える際には、図６Ｂの操作途中状態を経由してから、図６Ｃの吐水状態となる。図６Ｂの操作途中状態では、原水経路前半２１および原水経路後半２２間が非道通状態であるものの、浄水経路前半２３および浄水経路後半２４間は導通状態となっている。つまり止水状態から吐水状態に切り換える際には、図６Ｂに示すように浄水器６の下流側に位置する浄水経路２３，２４が開放してから、原水経路２１，２２が開放される。このため、以下に説明するように、水道水による高い水圧が瞬間的に浄水器６に加わるのを防止でき、その水圧による悪影響を回避することができる。
【００６６】
すなわち仮に、吐水状態に切り換える際に、浄水器６の上流側を先に開放してから、下流側を開放したり、あるいは浄水器６の上流側および下流側を同時に開放するようにすると、上流側を開放した直後は、下流側が閉塞されているため、浄水器６に水道水の高い水圧が加わってしまうことになる。
【００６７】
そこで本実施形態のように、浄水器６の下流側を先に開放しておくことによって、上流側を開放した直後であっても、高い水圧が浄水器６に加わるのを防止することができる。
【００６８】
一方、図６Ｃに示す吐水状態からハンドル１５を回転操作して、図６Ａに示す止水状態に切り換える場合には、その操作途中において、図６Ｂに示す操作途中状態を経由してから、図６Ａに示す止水状態となる。このため、吐水状態から止水状態に切り換える際には、図６Ｂに示すように浄水器６の上流側に位置する原水経路２１，２２が先に遮断された後、図６Ａに示すように浄水器６の下流側に位置する浄水経路２３，２４が遮断されて、浄水の供給が停止するようになっている。
【００６９】
このように先に浄水器６の上流側に位置する原水経路２１，２２が閉じられた後、下流側に位置する浄水経路２３，２４が閉じられるため、浄水器６内における水道水の圧力が低減した後、浄水器６の下流側が閉じられる。従って止水状態で、水道水の水圧が浄水器６に加わることがなく、その水圧による悪影響を回避することができる。
【００７０】
その上さらに、止水状態に切り換える際には、浄水器６の上流側が先に閉じられるため、ウォーターハンマーによる高圧が浄水器６に加わることもない。
【００７１】
また止水状態に切り換えた際には、浄水器６の下流側も閉じられるため、浄水器６内の残留圧力によって、ノズル１４から浄水が滴り落ちるような不具合も確実に防止することができる。
【００７２】
さらにこの止水状態においては、浄水器６の下流側に位置する浄水経路２３，２４が閉じられているため、長時間放置しておいたとしても、ノズル１４から侵入する雑菌が浄水器６内で増殖することがなく、雑菌増殖による不具合、例えば水質の悪化を確実に防止することができる。
【００７３】
また本実施形態においては、浄水器６の上流側および下流側を開閉するための弁機構２を浄水用水栓１の内部に組み込んでいるため、これらの開閉弁を浄水用水栓１の外部、例えば浄水器６の出入口部に設ける場合と比較して、浄水装置全体の構成が簡素化されて、小型コンパクト化を図ることができる。
【００７４】
さらに本実施形態では、ハンドル操作によって機械的に弁機構２を作動させるものであるため、構造が複雑な電磁弁等を用いる場合と比較して、制御盤、信号線、電源コード等を設置する必要がなく、その分、構造が簡素化されて、小型コンパクト化をより一層確実に図ることができる。
【００７５】
なお、上記実施形態においては、開閉操作部を回転ハンドルによって構成する場合を例に挙げて説明したが、それだけに限られず、本発明においては、開閉操作部を回転レバー等によって構成するようにしても良い。
【００７６】
また上記実施形態では、図６Ａの止水状態において、原水経路連通溝４１内に原水経路前半出口３１だけが配置されないようにしているが、それだけに限られず、本実施形態においては、止水状態において、原水経路連通溝４１内に原水経路前半出口３１および原水経路後半入口３２の双方が配置されないようにしても良いし、原水経路連通溝４１内に原水経路後半入口３２だけが配置されないようにしてもよい。
【００７７】
さらに、図６Ａの止水状態において、浄水経路連通溝４３内に浄水経路後半入口３４だけが配置されないようにしているが、それだけに限られず、本実施形態においては、止水状態において、浄水経路連通溝４３内に浄水経路前半出口３３および浄水経路後半入口３４の双方が配置されないようにしても良いし、浄水経路連通溝４３内に浄水経路前半出口３３だけが配置されないようにしてもよい。
【００７８】
また上記実施形態では、図６Ｂの元止め先開き状態において、原水経路連通溝４１内に原水経路前半出口３１だけが配置されないようにしているが、それだけに限られず、本実施形態においては、元止め先開き状態において、原水経路連通溝４１内に原水経路前半出口３１および原水経路後半入口３２の双方が配置されないようにしても良いし、原水経路連通溝４１内に原水経路後半入口３２だけが配置されないようにしてもよい。
【００７９】
また言うまでもなく、固定バルブ３に設けられる原水経路前半出口３１，原水経路後半入口３２，浄水経路前半出口３３および浄水経路後半入口３４の大きさ、形状、位置等は、本発明の要旨を逸脱しない範囲内であれば、どのように設定しても良い。
【産業上の利用可能性】
【００８０】
この発明の浄水装置は、例えば一般家屋におけるキッチンの流し台等に適用することができる。
【符号の説明】
【００８１】
１：浄水用水栓
１５：ハンドル（開閉操作部）
２：弁機構
２１：原水経路前半
２２：原水経路後半
２３：浄水経路前半
２４：浄水経路後半
３：固定バルブ
３１：原水経路前半出口
３２：原水経路後半入口
３３：浄水経路前半出口
３４：浄水経路後半入口
４：回転バルブ
４１：原水経路連通溝
４３：浄水経路連通溝
６：浄水器
６２：入口
６３：出口
【図１】
0005468593.tif 000002
【図２】
0005468593.tif 000003
【図３】
0005468593.tif 000004
【図４】
0005468593.tif 000005
【図５】
0005468593.tif 000006
【図６Ａ】
0005468593.tif 000007
【図６Ｂ】
0005468593.tif 000008
【図６Ｃ】
0005468593.tif 000009